【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
（ａ）（ａ）と（ｂ）との合わせた総量の約５〜約９５重量％の量で存在する、エチレンと、無水マレイン酸、無水シトラコン酸、無水イタコン酸、無水テトラヒドロフタル酸、マレイン酸、シトラコン酸、イタコン酸、フマル酸、テトラヒドロフタル酸、これらの酸の対応する塩、モノエステルおよびジエステル、ならびにこれらの任意の混合物から選択されたコモノマーとの共重合から得られた機能性コポリマーと、
（ｂ）エチレンと極性モノマーとの共重合から得られた少なくとも１つのエチレンコポリマーであって、前記極性コモノマーが８〜４０重量％の量で前記コポリマー中に存在し、（ａ）と（ｂ）との合わせた総量の約５〜約９５重量％の量で、エチレン／酢酸ビニルコポリマー、エチレン／アルキル（メタ）アクリレートコポリマーおよびエチレン／アルキル（メタ）アクリレート／一酸化炭素ターポリマーからなる群から選択されるエチレンコポリマーとを含み、１００グラム／１０分以上、好ましくは１５０グラム／１０分以上のメルトインデックスを有するホットメルト接着剤組成物。
【請求項２】
スティックのり、カートン、ケース、トレイ、製本、使い捨て品、パッケージ、バッグ、衣類、シューズ、スポーツ用品、自動車部品、書籍または不織布地を含む、請求項１に記載のホットメルト接着剤組成物を含むかまたはそれから製造された製品。
【請求項３】
第２基材への第１基材の接合方法であって、（ｉ）第１基材に請求項１に記載の溶融ホットメルト接着剤組成物を塗布する工程と、（ｉｉ）第２基材を前記溶融ホットメルト接着剤組成物と接触させる工程と、（ｉｉｉ）前記溶融ホットメルト接着剤組成物を放冷しそして凝固させ、それによって前記基材を一緒に接合させる工程とを含む方法。
【請求項４】
請求項１に記載のホットメルト接着剤組成物を塗布してケース、カートン、トレイ、バッグまたは書籍をシールするおよび／または形成する工程を含むケース、カートン、トレイ、バッグまたは書籍のシールまたは形成方法。
【手続補正２】
【補正対象書類名】明細書
【補正対象項目名】０１１２
【補正方法】変更
【補正の内容】
【０１１２】
ある程度具体的に本発明をこのように説明し、例示してきたが、特許請求の範囲がそのように限定されるべきではなく、特許請求の範囲およびそれらの等価物の各要素の文言に見合う範囲が与えられるべきであることは認識されるべきである。
次に、本発明の好ましい態様を示す。
1.  （ａ）（ａ）と（ｂ）との合わせた総量の約５〜約９５重量％の量で存在する、エチレンと、無水マレイン酸、無水シトラコン酸、無水イタコン酸、無水テトラヒドロフタル酸、マレイン酸、シトラコン酸、イタコン酸、フマル酸、テトラヒドロフタル酸、これらの酸の対応する塩、モノエステルおよびジエステル、ならびにこれらの任意の混合物から選択されたコモノマーとの共重合から得られた機能性コポリマーと、
（ｂ）エチレンと極性モノマーとの共重合から得られた少なくとも１つのエチレンコポリマーであって、前記極性コモノマーが８〜４０重量％の量で前記コポリマー中に存在し、（ａ）と（ｂ）との合わせた総量の約５〜約９５重量％の量で、エチレン／酢酸ビニルコポリマー、エチレン／アルキル（メタ）アクリレートコポリマーおよびエチレン／アルキル（メタ）アクリレート／一酸化炭素ターポリマーからなる群から選択されるエチレンコポリマーとを含み、１００グラム／１０分以上、好ましくは１５０グラム／１０分以上のメルトインデックスを有するホットメルト接着剤組成物。
2.  （１）約５０重量％〜約９０重量％の
（ａ）（ａ）と（ｂ）との合わせた総量の約５〜約９５重量％の量で存在する、エチレンと、無水マレイン酸、無水シトラコン酸、無水イタコン酸、無水テトラヒドロフタル酸、マレイン酸、シトラコン酸、イタコン酸、フマル酸、テトラヒドロフタル酸、これらの酸の対応する塩、モノエステルおよびジエステル、ならびにこれらの任意の混合物から選択されたコモノマーとの共重合から得られた機能性コポリマーと、
（ｂ）エチレンと極性モノマーとの共重合から得られた少なくとも１つのエチレンコポリマーであって、前記極性コモノマーが８〜４０重量％の量で前記コポリマー中に存在し、かつ、（ａ）と（ｂ）との合わせた総量の約５〜約９５重量％の量で、エチレン／酢酸ビニルコポリマー、エチレン／アルキル（メタ）アクリレートコポリマーおよびエチレン／アルキル（メタ）アクリレート／一酸化炭素ターポリマーからなる群から選択されるエチレンコポリマーと
の組み合わせ、ならびに
（２）前記組成物の総重量を基準として、約１０〜約５０重量％の
（ｃ）前記全組成物の重量を基準として、０〜約５０重量％のワックス、
（ｄ）前記全組成物の重量を基準として、０〜約５０重量％の粘着付与剤、および
（ｅ）前記全組成物の重量を基準として、０〜約１５重量％の可塑剤、安定剤、酸化防止剤、紫外線吸収剤、帯電防止剤、染料、顔料、着色剤、無機充填剤、難燃剤、滑剤、強化材、加工助剤、スリップ剤、粘着防止剤、剥離剤およびそれらの混合物からなる群から選択された他の添加剤
を含む上記１に記載の組成物。
3.  （ａ）、（ｂ）、（ｃ）、（ｄ）および（ｅ）の合計が組成物の１００重量％である上記２に記載の組成物。
4.  （ａ）の前記機能性コポリマーがエチレンと無水マレイン酸とのコポリマーである上記１〜３のいずれか一項に記載の組成物。
5.  （ａ）の前記機能性コポリマーが、マレイン酸モノアルキルとしてのマレイン酸エチル水素とのコポリマーを含むマレイン酸モノアルキルである上記１〜３のいずれか一項に記載の組成物。
6.  メラミン樹脂、エポキシ樹脂、アミン含有樹脂、金属アルコキシドおよび有機酸の金属塩からなる群から好ましくは選択された、架橋剤をさらに含む上記１〜５のいずれか一項に記載の組成物。
7.  架橋剤を含まない上記１〜５のいずれか一項に記載の組成物。
8.  スティックのり、カートン、ケース、トレイ、製本、使い捨て品、パッケージ、バッグ、衣類、シューズ、スポーツ用品、自動車部品、書籍または不織布地を含む、上記１〜７のいずれか一項に記載のホットメルト接着剤組成物を含むかまたはそれから製造された製品。
9.  前記組成物が少なくとも１つの基材に接着され、前記少なくとも１つの基材が織布または不織布、金属、ポリマー、ガラスまたは木材および木材製品、紙、および板紙などのセルロース製品からなる群から選択される上記８に記載の物品。
10.  第１表面および第２表面を含み、第２表面の少なくとも一部がホットメルト接着剤組成物によって第１表面の少なくとも一部に接着される上記８または９に記載の物品。
11.  パッケージがホットメルト接着剤組成物を含むか、またはホットメルト接着剤組成物を使用することによって形成されるかもしくはシールされる、包装食品を含む、包装物品をさらに含む上記８〜１０のいずれか一項に記載の物品。
12.  第２基材への第１基材の接合方法であって、（ｉ）第１基材に上記１〜７のいずれか一項に記載の溶融ホットメルト接着剤組成物を塗布する工程と、（ｉｉ）第２基材を前記溶融ホットメルト接着剤組成物と接触させる工程と、（ｉｉｉ）前記溶融ホットメルト接着剤組成物を放冷しそして凝固させ、それによって前記基材を一緒に接合させる工程とを含む方法。
13.  上記１〜７のいずれか一項に記載のホットメルト接着剤組成物を塗布してケース、カートン、トレイ、バッグまたは書籍をシールするおよび／または形成する工程を含むケース、カートン、トレイ、バッグまたは書籍のシールまたは形成方法。